(57)【要約】      （修正有）【課題】地震などの振動の停止後に転動体を載置面に位置するように復帰させる作業を不要にするとともに、地震などの振動を確実に検知することができる振動検知装置を提供する。【解決手段】振動検知装置は、所定内部空間を画定する前カバーおよびケース本体５１の内部に配置され、載置面５９と、その載置面から互いに反対方向に延び、上方に傾斜する傾斜面６０Ａ、６０Ｂとを有する載置台５８を備える。スイッチ手段は、傾斜面６０Ａの上端部に近接して位置する固定接点形成片６１と、固定接点形成片６１よりも傾斜面の上端部から離れて上方に位置する固定接点形成片６２とを有し、前カバーおよびケース本体５１の内部に配置される。導電性の球体７０が、所定内部空間において載置台の載置面および傾斜面を転動することが可能である。球体が傾斜面の上端部を越えて転動したときに、球体が両固定接点形成片６１、６２を短絡する。【選択図】図６
2014235018.tif 000002
【特許請求の範囲】
【請求項１】
所定内部空間を画定する筐体と、
筐体の内部に配置され、載置面と、その載置面から互いに反対方向に延び、上方に傾斜する傾斜面とを有する載置部材と、
傾斜面の上端部に近接して位置する第１接点部分と、第１接点部分よりも傾斜面の上端部から離れて上方に位置する第２接点部分とを有し、筐体の内部に配置されるスイッチ手段と、
筐体の所定内部空間において載置部材の載置面および傾斜面を転動することが可能な導電性の転動体と、を備え、
転動体が傾斜面の上端部まで転動したときに、または、その上端部を越えて転動したときに、転動体が第１接点部分および第２接点部分を短絡する振動検知装置。
【請求項２】
載置部材は、筐体の所定内部空間が長く延びる水平方向において、載置面から互いに反対方向に同じ傾斜角度で同じ長さだけ延びる２つの傾斜面を有し、
スイッチ手段は、２つの傾斜面の両上端部にそれぞれ近接して２個配置される請求項１に記載の振動検知装置。
【請求項３】
筐体の内部において載置部材の下方に配置され、２個のスイッチ手段が取り付けられる回路基板を備える請求項２に記載の振動検知装置。
【請求項４】
筐体の内部に配置され、筐体に対して回路基板を位置決めする位置決め部材を備える請求項３に記載の振動検知装置。
【請求項５】
第１接点部分は、上方に傾斜する傾斜接触面を有し、
第２接点部分は、第１接点部分の傾斜接触面よりも大きな傾斜角度で上方に延びる起立接触面を有し、
転動体は、第１接点部分の傾斜接触面と、第２接点部分の起立接触面とに接触して短絡する請求項１〜４のいずれかに記載の振動検知装置。
【請求項６】
転動体が第１接点部分と第２接点部分とを短絡する状態にあるときに、転動体が第１接点部分と接触する第１接触位置は、筐体の所定内部空間が長く延びる水平方向において、短絡する状態にある転動体の中心位置よりも、転動体が第２接点部分と接触する第２接触位置の近くに位置する請求項１〜４のいずれかに記載の振動検知装置。
【請求項７】
転動体が第１接点部分および第２接点部分を短絡した状態において、転動体と第２接点部分との接触位置が、両接点部分を短絡する転動体の中心の位置、または、その中心の位置より上方に位置する請求項１〜６のいずれかに記載の振動検知装置。
【請求項８】
載置部材は、導電性材料から形成され、
第１接点部分は、載置部材と一体的に形成される請求項１〜７のいずれかに記載の振動検知装置。
【請求項９】
請求項１〜８のいずれかに記載の振動検知装置と、
蓄電手段と、
電気的作動手段と、
振動検知装置のスイッチ手段の第１接点部分および第２接点部分が短絡されたときに、蓄電手段からの電力を電気的作動手段に供給する電力供給手段と、を備える振動検知機能を有する作動装置。
【請求項１０】
電力供給手段は、振動検知装置のスイッチ手段の第１接点部分および第２接点部分が短絡されたときに、蓄電手段からの電力を電気的作動手段に供給する電力供給状態を保持する保持回路を有する請求項９に記載の振動検知機能を有する作動装置。
【請求項１１】
操作スイッチを備え、
電力供給手段は、操作スイッチの操作により保持回路の電力供給状態を解除するリセット回路を有する請求項１０に記載の振動検知機能を有する作動装置。
【請求項１２】
振動検知装置、蓄電手段、電気的作動手段、および電力供給手段を収容する装置フレームを備え、
操作スイッチの操作部分が、装置フレームの外部に露出する請求項１１に記載の振動検知機能を有する作動装置。
【請求項１３】
発電手段を備え、
蓄電手段は、発電手段により発電された電力を蓄電し、
電気的作動手段は、並列接続された複数の発光ダイオードから構成される請求項９〜１２のいずれかに記載の振動検知機能を有する作動装置。
【発明の詳細な説明】
【技術分野】
【０００１】
本発明は、地震などの振動により転動する転動体と、転動体の転動に応じて作動するスイッチ手段とを備える振動検知装置に関する。
【背景技術】
【０００２】
従来、地震などの振動を検知する振動検知装置として、種々の構成の振動検知装置が提案されている。たとえば、特許文献１に記載の振動検知装置は、球体が載置される載置部と、載置部の周りに配置されたドーナツ状の可動接点と、可動接点の上面が載置部の上面とともに凹面を形成するように可動接点を弾性付勢するバネと、可動接点の下方に設置された固定接点と、可動接点の外側に配置され、可動接点の上面と共通の凹面を形成するテーパ部とを備える。球体が地震などにより可動接点を越えてテーパ部まで転動したときに、テーパ部は球体を載置部まで復帰させる働きをする。球体が地震などにより凹面を転動する場合、球体が、可動接点の上を転動している間に、その自重によりバネの弾性力に抗して可動接点を下降させる。この結果、転動している球体が一時的に可動接点に載っている間、可動接点は下降して固定接点と接触する。可動接点と固定接点との接触により、検知信号が制御回路に与えられ、配線遮断器が作動する。
【先行技術文献】
【特許文献】
【０００３】
【特許文献１】実用新案登録第３０２６５４２号公報
【発明の概要】
【発明が解決しようとする課題】
【０００４】
特許文献１に記載の振動検知装置において、地震などの振動が停止したときに、球体が、載置部と可動接点とテーパ部とから形成される凹面に沿って自重により載置部に復帰することから、球体を復帰させる構造が複雑化しない利点がある。しかし、特許文献１に記載の振動検知装置においては、球体が可動接点の上を転動している間に、バネの弾性力に抗して可動接点を固定接点に接触させる構造であることから、球体の重量、バネの弾性力、可動接点と固定接点との間の距離などの多数の要因について微妙な設定または調整を行う必要がある。また、地震などの振動が大きい場合、球体は可動接点を越えてテーパ部まで転動することから、振動の初期段階では、可動接点を固定接点に確実に接触させることができないおそれがある。このため、地震などの振動を早期に検知して配線遮断器を作動させることができない問題がある。
【０００５】
そこで、本発明は、上記の事情に鑑みてなされ、地震などの振動の停止後に転動体を載置面に位置するように復帰させる作業を不要にするとともに、地震などの振動を確実に検知することができる振動検知装置を提供することを目的とする。
【課題を解決するための手段】
【０００６】
（第１の発明態様、およびその具体的態様）
請求項１に記載の第１の発明態様は、所定内部空間を画定する筐体と、筐体の内部に配置され、載置面と、その載置面から互いに反対方向に延び、上方に傾斜する傾斜面とを有する載置部材と、傾斜面の上端部に近接して位置する第１接点部分と、第１接点部分よりも傾斜面の上端部から離れて上方に位置する第２接点部分とを有し、筐体の内部に配置されるスイッチ手段と、筐体の所定内部空間において載置部材の載置面および傾斜面を転動することが可能な導電性の転動体と、を備え、転動体が傾斜面の上端部まで転動したときに、または、その上端部を越えて転動したときに、転動体が第１接点部分および第２接点部分を短絡する構成である。
【０００７】
第１の発明態様では、筐体は、周囲が閉鎖された所定内部空間を画定する構成でも、上方が開放された所定内部空間を画定する構成でもよい。
【０００８】
第１の発明態様では、スイッチ手段は、筐体の内部に配置されるのであれば、その個数は、１個でも、複数個でもよい。スイッチ手段が１個である場合、スイッチ手段は、互いに反対方向に延びる傾斜面の上端部に近接した１箇所に配置される構成でも、載置部材の全周にわたって第１接点部分および第２接点部分の各接点部分が一体的に延びる構成でもよい。
【０００９】
第１の発明態様では、第１接点部分が傾斜面の上端部に接して配置される構成でも、第１接点部分が、傾斜面の上端部から離れるが、第２接点部分よりはその上端部に近い位置に配置される構成でもよい。また、第１の発明態様では、載置部材および第１接点部分が、分離した別個の部材から構成されても、第１接点部分が傾斜面の上端部に接して配置される構成であれば、導電性材料により一体的に構成されてもよい。
【００１０】
第１の発明態様では、転動体は、筐体の所定内部空間において載置面および傾斜面を転動することが可能な形状であれば、いかなる形状でもよい。たとえば、転動体は、円筒形状でも、球面の一部分を有する形状でもよいが、完全な球面を有する球体であることが好ましい。
【００１１】
第１の発明態様では、載置面は、転動体を静止した状態で載せることができるのであれば、いかなる形状でもよい。たとえば、載置面は、水平な平面、湾曲面、Ｖ字形状の屈曲面などの面から構成される形状でもよい。また、載置面は、転動体の一部が嵌り込む凹所を有する形状でもよい。
【００１２】
第１の発明態様では、傾斜面は、載置面から互いに反対方向に延びる構成であれば、載置面の全周にわたって延びる構成でも、載置面から互いに反対方向となる２つの特定の方向にそれぞれ延びる構成でもよい。また、互いに反対方向に延びる傾斜面は、同じ傾斜角度でも、異なる傾斜角度でもよいが、同じ傾斜角度であることが好ましい。
【００１３】
請求項２に記載の具体的態様では、載置部材は、筐体の所定内部空間が長く延びる水平方向において、載置面から互いに反対方向に同じ傾斜角度で同じ長さだけ延びる２つの傾斜面を有し、スイッチ手段は、２つの傾斜面の両上端部にそれぞれ近接して２個配置される。
【００１４】
請求項３に記載の具体的態様は、筐体の内部において載置部材の下方に配置され、２個のスイッチ手段が取り付けられる回路基板を備える。
【００１５】
具体的態様では、２個のスイッチ手段は、１つの回路基板に取り付けられる構成でも、２つの回路基板にそれぞれ取り付けられる構成でもよい。
【００１６】
請求項４に記載の具体的態様は、筐体の内部に配置され、筐体に対して回路基板を位置決めする位置決め部材を備える。
【００１７】
具体的態様では、位置決め部材は、水平方向、および鉛直方向である上下方向の少なくとも一方の方向において筐体に対して回路基板を位置決めする構成であればよい。
【００１８】
請求項５に記載の具体的態様では、第１接点部分は、上方に傾斜する傾斜接触面を有し、第２接点部分は、第１接点部分の傾斜接触面よりも大きな傾斜角度で上方に延びる起立接触面を有し、転動体は、第１接点部分の傾斜接触面と、第２接点部分の起立接触面とに接触して短絡する。
【００１９】
具体的態様では、起立接触面は、傾斜接触面よりも大きな傾斜角度で上方に延びる面であれば、鉛直方向に起立する面でも、鉛直方向に対して傾斜して起立する面でもよい。
【００２０】
請求項６に記載の具体的態様では、転動体が第１接点部分と第２接点部分とを短絡する状態にあるときに、転動体が第１接点部分と接触する第１接触位置は、筐体の所定内部空間が長く延びる水平方向において、短絡する状態にある転動体の中心位置よりも、転動体が第２接点部分と接触する第２接触位置の近くに位置する。
【００２１】
具体的態様では、第１接触位置が、転動体の中心位置よりも第２接触位置の近くに位置するのであれば、第１接点部分が傾斜した接触面を有する構成でも、水平な接触面を有する構成でもよい。
【００２２】
請求項７に記載の具体的態様では、転動体が第１接点部分および第２接点部分を短絡した状態において、転動体と第２接点部分との接触位置が、両接点部分を短絡する転動体の中心の位置、または、その中心の位置より上方に位置する。
【００２３】
請求項８に記載の具体的態様では、載置部材は、導電性材料から形成され、第１接点部分は、載置部材と一体的に形成される。
【００２４】
（第２の発明態様、およびその具体的態様）
請求項９に記載の第２の発明態様は、第１の発明態様、または、その具体的態様である振動検知装置と、蓄電手段と、電気的作動手段と、振動検知装置のスイッチ手段の第１接点部分および第２接点部分が短絡されたときに、蓄電手段からの電力を電気的作動手段に供給する電力供給手段と、を備える構成である。
【００２５】
第２の発明態様の各構成要素は、第１の発明態様および具体的態様と同様に、種々の形態で実現される。また、第２の発明態様は、電源としての発電手段または商用電源に接続可能な接続手段を備える構成でも、発電手段および接続手段を備えない構成でもよい。蓄電手段は、発電手段により発電された電力、または商用電源から供給された電力を蓄える構成である。電気的作動手段は、地震などの異常発生時に使用される照明手段、発音手段、または表示手段などの作動手段である。
【００２６】
請求項１０に記載の具体的態様では、電力供給手段は、振動検知装置のスイッチ手段の第１接点部分および第２接点部分が短絡されたときに、蓄電手段からの電力を電気的作動手段に供給する電力供給状態を保持する保持回路を有する。
【００２７】
請求項１１に記載の具体的態様は、操作スイッチを備え、電力供給手段は、操作スイッチの操作により保持回路の電力供給状態を解除するリセット回路を有する請求項７に記載の振動検知機能を有する。
【００２８】
請求項１２に記載の具体的態様は、振動検知装置、蓄電手段、電気的作動手段、および電力供給手段を収容する装置フレームを備え、操作スイッチの操作部分が、装置フレームの外部に露出する。
【００２９】
請求項１３に記載の具体的態様は、発電手段を備え、蓄電手段は、発電手段により発電された電力を蓄電し、電気的作動手段は、並列接続された複数の発光ダイオードから構成される。
【発明の効果】
【００３０】
（第１の発明態様、およびその具体的態様の効果）
請求項１に記載の第１の発明態様では、地震などの振動が発生したとき、転動体が、載置面から傾斜面に沿って転動する。転動体が、傾斜面の上端部まで、または、その上端部を越えて転動して、スイッチ手段の第１接点部分および第２接点部分にそれぞれ接触する。第２接点部分は、第１接点部分よりも上方に位置することから、転動体は、第１接点部分と接触した状態で、第２接点部分に当接して転動の動きを一時的に停止する。この結果、転動体は両接点に同時に接触して短絡することができ、地震などの振動の発生を確実に検知することができる。また、転動体は自重により載置面に向かって戻されることから、地震などの振動が停止した後に、ユーザは、次の振動の発生に備えて転動体を載置面に戻す復帰作業を行う必要がない。
【００３１】
請求項２に記載の具体的態様では、２つの傾斜面は、筐体の所定内部空間が長く延びる水平方向において、載置面から互いに反対方向に同じ傾斜角度で同じ長さだけ延びる。２個のスイッチ手段は、２つの傾斜面の両上端部にそれぞれ近接して配置される。この結果、地震などの振動の初期段階において、転動体が、載置面から２つの傾斜面のいずれの傾斜面に沿って転動したとしても、振動の発生を確実に検知することができる。
【００３２】
請求項３に記載の具体的態様では、２個のスイッチ手段が取り付けられる回路基板が、筐体の内部において載置部材の下方に配置される。この結果、転動体が転動する所定内部空間を狭めることなく、２個のスイッチ手段を２つの傾斜面の両上端部に近接してそれぞれ配置することができる。
【００３３】
請求項４に記載の具体的態様では、位置決め部材は、筐体に対して回路基板を位置決めする。この結果、２個のスイッチ手段を筐体の内部において正確に位置決めすることができる。
【００３４】
請求項５に記載の具体的態様では、第１接点部分は、上方に傾斜する傾斜接触面を有し、第２接点部分は、第１接点部分の傾斜接触面よりも大きな傾斜角度で上方に延びる起立接触面を有し、転動体は、第１接点部分の傾斜接触面と、第２接点部分の起立接触面とに接触して短絡する。この結果、転動体が両接点部分を短絡した後に、傾斜接触面に沿って載置部材の載置面に向かって、転動体を転動させることができ、次の振動の発生に備えて転動体を載置面に確実に戻すことができる。
【００３５】
請求項６に記載の具体的態様では、転動体が第１接触部分と第２接触部分とを短絡する状態において、第１接触位置が、転動体の中心位置よりも第２接触位置の近くに位置する。この結果、転動体が第１接点部分と第２接点部分とを短絡した状態において、転動体の中心位置、すなわち転動体の重心が、第１接触位置より載置面の配置位置の側に位置することから、転動体を載置面に向かって確実に転動させることができる。
【００３６】
請求項７に記載の具体的態様では、転動体と第２接点部分との接触位置が、両接点部分を短絡する転動体の中心の位置、または、その中心の位置より上方に位置する。この結果、転動体が第２接点部分に当接したときに、転動体の転動の動きを一時的に停止させて転動体により両接点部分を確実に短絡することができ、地震などの振動の初期段階で振動の発生を確実に検知することができる。
【００３７】
請求項８に記載の具体的態様では、載置部材および第１接点部分が、導電性材料から一体的に形成される。この結果、載置部材および第１接点部分を、プレス成形などにより容易に形成することができる。
【００３８】
（第２の発明態様、およびその具体的態様の効果）
請求項９に記載の第２の発明態様では、振動検知装置のスイッチ手段の第１接点部分および第２接点部分が短絡されたときに、電力供給手段が、蓄電手段からの電力を電気的作動手段に供給する。この結果、地震などの振動が発生したときに、電気的作動手段を確実に作動させることができる。
【００３９】
請求項１０に記載の具体的態様では、保持回路は、振動検知装置のスイッチ手段の第１接点部分および第２接点部分が短絡されたときに、蓄電手段からの電力を電気的作動手段に供給する電力供給状態を保持する。この結果、転動体が、スイッチ手段の第１接点部分および第２接点部分を一時的に短絡した後に、傾斜面の上端部から載置面に向けて転がり落ちても、蓄電手段からの電力を電気的作動手段に供給し続けることができ、電気的作動手段を確実に作動させることができる。
【００４０】
請求項１１に記載の具体的態様では、リセット回路は、操作スイッチの操作により保持回路の電力供給状態を解除する。この結果、ユーザは、地震などの振動が停止した後に操作スイッチを操作することにより、蓄電手段から電気的作動手段への電力供給を停止することができ、蓄電手段の電力が無駄に使用されることを防止することができる。
【００４１】
請求項１２に記載の具体的態様では、振動検知装置、蓄電手段、電気的作動手段、および電力供給手段を収容する装置フレームを備え、操作スイッチの操作部分が、装置フレームの外部に露出する。振動検知装置、蓄電手段、電気的作動手段、および供給回路が装置フレームに収容される。操作スイッチの操作部分が、装置フレームから露出する。この結果、ユーザは、装置フレームの外部から操作スイッチを操作することができ、保持回路の電力供給状態を容易に解除することができる。
【００４２】
請求項１３に記載の具体的態様では、蓄電手段が、発電手段により発電された電力を蓄電する。並列接続された複数の発光ダイオードは、スイッチ手段を介して蓄電手段から電力の供給を受けて発光する。この結果、商用電源から電力供給を受けない作動装置であっても、地震などの振動が発生したときに、複数の発光ダイオードは、発電手段により発電された電力の供給を確実に受けて、発光することができる。
【図面の簡単な説明】
【００４３】
【図１】本発明の第１の実施形態に係るスライド扉用照明装置１と、そのスライド扉用照明装置１が取り付けられたスライド扉開閉装置２とを示す正面図である。
【図２】図１に示すＡ−Ａ線に従ってスライド扉開閉装置２の扉支持機構４を切断した断面図である。
【図３】スライド扉用照明装置１の照明作動装置２１の分解斜視図である。
【図４】照明作動装置２１を組み立てた状態を示す斜視図である。
【図５】スライド扉用照明装置１の地震検知装置２２の分解斜視図である。
【図６】地震検知装置２２の前カバー５０を取り外した状態で、ケース本体５１の内部構成を示す拡大斜視図である。
【図７】スライド扉用照明装置１の電気的構成の一部分を示す回路図である。
【図８】スライド扉用照明装置１の電気的構成の他の部分を示す回路図である。
【図９】地震が発生していない正常状態において、球体７０の一部分が載置台５８の凹所５９Ａに嵌り、球体７０が載置面５９の上で静止している状態を示す図面である。
【図１０】地震が発生している緊急状態において、球体７０が傾斜面６０Ａを転動して上方連結部６１Ｃおよび脚部６２Ａに接触した状態を示す図面である。
【図１１】本発明の第２の実施形態に係るスライド扉用照明装置１の地震検知装置２２の前カバー５０を取り外した状態で、ケース本体５１の内部構成を示す図面である。
【図１２】地震が発生している緊急状態において、球体７０が傾斜面１６０Ａを転動して傾斜面１６０Ａ上の位置ＰＡ１および固定接点形成片１６２の脚部１６２Ａの側面上の位置ＰＡ２でそれぞれ接触した状態を示す図面である。
【発明を実施するための形態】
【００４４】
＜第１の実施形態＞
［スライド扉用照明装置１およびスライド扉開閉装置２の全体構成］
以下に、本発明の振動検知装置をスライド扉用照明装置に適用した第１の実施形態について、図面を参照して説明する。本実施形態は、商店などの出入口に設置されたスライド扉の開閉動作に伴い発電された電力を使用して、スライド扉の周辺を照明するスライド扉用照明装置１である。図１は、スライド扉用照明装置１と、そのスライド扉用照明装置１が取り付けられたスライド扉開閉装置２とを示す正面図である。図１に矢印で示す２つの方向を、上下方向、および左右方向とし、両方向にそれぞれ直交する方向を、前後方向として、各図面での各方向を示す。
【００４５】
［スライド扉開閉装置２の全体構成］
図１において、スライド扉開閉装置２は、一対のスライド扉３Ａ、３Ｂと、扉支持機構４とを備える。
【００４６】
扉支持機構４は、一対のスライド扉３Ａ、３Ｂを左右方向に開閉可能に支持する。両スライド扉３Ａ、３Ｂは人間の接近を感知して電動モータを駆動することにより開放される構成の扉であり、いわゆる自動扉である。自動扉において、電動モータからスライド扉に動力を伝達する構成は、特開平１１−３６６９５号公報などにより公知であるので、その詳細な説明を省略する。
【００４７】
図１において、扉支持機構４は、商店の出入口の床などの固定された基礎部分５に設置される。一対の支持パネル６Ａ、６Ｂが、客の通過を許容する間隔をあけて、基礎部分５にそれぞれ固定されるとともに、商店の外壁にそれぞれ固定される。図１には、支持パネル６Ａが固定される外壁７のみが示される。支持梁８が、両支持パネル６Ａ、６Ｂの上部に架設される。
【００４８】
扉支持機構４の詳細な構成について、図２を参照して説明する。図２は、図１に示すＡ−Ａ線に従って扉支持機構４を切断した断面図である。図２において、上方案内梁９が、支持梁８の後側に固定される。上方案内梁９は、中空に形成され、内部に上方案内レール９Ａを有する。下方案内レール１０が、基礎部分５に埋設される。連結アーム１１Ａが、スライド扉３Ａの上部に固定される。プーリ１１Ｂが、連結アーム１１Ａに回転自在に設けられ、上方案内レール９Ａに係合する。下方案内レール１０は、矩形断面形状の凹所を備え、スライド扉３Ａの下端部と嵌合する。スライド扉３Ａは、両案内レール９Ａ、１０により左右方向に案内されるとともに、開閉可能に支持される。スライド扉３Ｂも、スライド扉３Ａと同様な構成により支持される。
【００４９】
［スライド扉用照明装置１の全体構成］
スライド扉用照明装置１は、スライド扉用発電装置２０と、照明作動装置２１と、地震検知装置２２とを備える。スライド扉用発電装置２０は、図２に示すように、スライド扉３Ａの内側に近接して基礎部分５に設置される。
【００５０】
スライド扉用発電装置２０は、筐体２３と、その筐体２３内に収容された２つの発電ユニットと、交流電圧を直流電圧に整流するための整流基板とを主に備える。各発電ユニットは、発電機と、その発電機の回転軸に連結された回転体とを備える。回転体は、コイルバネの弾性力により、スライド扉３Ａに押圧される。
【００５１】
［照明作動装置２１の詳細な構成］
照明作動装置２１は、図１に示すように、支持梁８に固定して配置される。図３および図４を参照して、照明作動装置２１の詳細な構成を説明する。図３は、照明作動装置２１の分解斜視図であり、図４は、照明作動装置２１が組み立てられた状態を示す斜視図である。照明作動装置２１は、本体取付板３０と、本体カバー３１と、ＬＥＤ基板３２と、リフレクタ３３と、ＬＥＤカバー３４と、制御基板３５とを主に備える。
【００５２】
本体取付板３０は、左右方向に長い板状に形成され、支持梁８に取り付けられる。台座３６が、本体取付板３０の上面の中央位置において左右方向に延びて形成される。台座３６は、ＬＥＤ基板３２を本体取付板３０に対して所定角度だけ傾けて取り付けるために傾斜面を有する。６個の発光ダイオードＤ１〜Ｄ６が、ＬＥＤ基板３２に搭載される。ＬＥＤ基板３２は、ネジなどの固定手段により台座３６に取り付けられる。リフレクタ３３は、ＬＥＤ基板３２上の発光ダイオードＤ１〜Ｄ６にそれぞれ対向する６個の開口Ｗ１〜Ｗ６を有する。リフレクタ３３は、各発光ダイオードから各開口を通して出射された光を反射させて拡散させる。ＬＥＤカバー３４は、リフレクタ３３全体を前方から覆うために曲面形状の前面を有し、光透過材料から形成される。
【００５３】
制御基板３５は、各種の回路素子が搭載された基板であり、本体取付板３０の左側の領域に取り付けられる。各種の回路素子は、発電機により発電された電力を蓄電するための回路素子と、発光ダイオードＤ１〜Ｄ６の点滅を制御する回路素子とを含む。制御基板３５の詳細な構成については後述する。
【００５４】
地震検知装置２２は、本体取付板３０の右側の領域にネジなどの固定手段により取り付けられる。３つの位置決め突起３７Ａ〜３７Ｃが、本体取付板３０の上面に形成される。地震検知装置２２の一部が位置決め突起３７Ａ〜３７Ｃに当接することにより、地震検知装置２２は、本体取付板３０の上面において位置決めされる。
【００５５】
本体カバー３１は、本体取付板３０全体を前方から覆うために左右方向に長い形状に形成され、曲面形状の前面を有する。収納凹部３８が、本体カバー３１の中央領域に形成される。ＬＥＤカバー３４は、収納凹部３８に嵌め込まれて本体取付板３０に取り付けられる。本体カバー３１は、ネジなどの固定手段により本体カバー３１取り付けられる。本体カバー３１は、白色のＡＢＳ樹脂により成形される。
【００５６】
本体カバー３１は、その前面の右側の領域に開口３９を有する。開口３９は、左右方向に細長い形状を有し、透明板体が、開口３９に嵌め込まれる。また、本体カバー３１は、左右の両側に側壁を有し、左側の側壁４０には、図４に示すように、コネクタ用開口４１と、スイッチ用開口４２とが形成される。
【００５７】
［地震検知装置２２の詳細な構成］
図５および図６を参照して、地震検知装置２２の構成を説明する。図５は、地震検知装置２２の分解斜視図であり、図６は、前カバー５０を取り外した状態でケース本体５１の内部構成を示す斜視図である。図５において、地震検知装置２２は、前カバー５０と、ケース本体５１と、スイッチ基板５２とを主に備え、これらの構成部材が組み付けられてユニット化される。
【００５８】
前カバー５０およびケース本体５１は、左右方向に長い形状を有し、透明なＡＢＳ樹脂により成形される。ケース本体５１は、本体取付板３０にネジなどの固定手段により取り付けられる。前カバー５０は、ケース本体５１と組み合わされ、ネジ５３によりケース本体５１に取り付けられる。ケース本体５１を本体取付板３０に取り付ける際に、ケース本体５１の左上角部が位置決め突起３７Ａ、３７Ｂにそれぞれ当接し、ケース本体５１の下方端部が位置決め突起３７Ｃに当接することにより、ケース本体５１が本体取付板３０の上面において位置決めされる。ケース本体５１は、左右方向に延びる上方壁５４Ｕと、左右方向で互いに対向する左側壁５４Ｌおよび右側壁５４Ｒと、これらの壁５４Ｕ、５４Ｌ、５４Ｒに連結する後方壁５５とを有する。また、ケース本体５１は、スイッチ基板５２を上下方向に位置決めするために、上方位置決め突起５６Ａ、５６Ｂと、下方位置決め突起５７Ａ、５７Ｂとを有する。スイッチ基板５２の後端縁は、上方位置決め突起５６Ａ、５６Ｂと下方位置決め突起５７Ａ、５７Ｂとの間に嵌め込まれる。また、スイッチ基板５２の後端縁の左右両端部は、ケース本体５１の左側壁５４Ｌおよび右側壁５４Ｒと当接可能に配置される。４つの位置決め突起および２つの側壁により、スイッチ基板５２は、上下方向および左右方向においてケース本体５１に位置決めされる。図５には示されないが、前カバー５０も、ケース本体５１と同様に、上方位置決め突起および下方位置決め突起を有し、スイッチ基板５２の前端縁も、前カバー５０に位置決めされる。
【００５９】
載置台５８が、ケース本体５１の後方壁５５から前方に突出し、ケース本体５１と一体的に形成される。載置台５８は、左右方向においてケース本体５１の中央位置に配置され、上下方向において上方位置決め突起５６Ａ、５６Ｂより上方に配置される。載置台５８は、載置面５９と、一対の傾斜面６０Ａ、６０Ｂとを有する。載置面５９は、水平な平面から構成される。円形の凹所５９Ａが、左右方向において載置面５９の中央に形成される。傾斜面６０Ａは、載置面５９から左上方に傾斜して延びる平面から構成され、傾斜面６０Ｂは、載置面５９から右上方に傾斜して延びる平面から構成される。本実施形態では、後述する図９において、水平な方向である左右方向に対する両傾斜面６０Ａ、６０Ｂの傾斜角度α、βは、同じであり、１２度にそれぞれ設定される。また、凹所５９Ａの中央位置から傾斜面６０Ａの上端部６０Ａ−１までの左右方向における距離ＳＡは、凹所５９Ａの中央位置から傾斜面６０Ｂの上端部６０Ｂ−１までの左右方向における距離ＳＢと同じに設定される。
【００６０】
スイッチ基板５２は、左右方向に長い形状に形成された１枚の基板から構成される。第１の対の固定接点形成片６１、６２が、スイッチ基板５２の上面の左端近傍に配置され、第２の対の固定接点形成片６３、６４が、スイッチ基板５２の上面の右端近傍に配置される。コネクタ６５が、スイッチ基板５２の下面に配置され、４つの固定接点形成片６１〜６４にそれぞれ接続される。固定接点形成片６１は、金属材料などの導電性材料をＵ字状に折り曲げて形成され、一対の脚部６１Ａ、６１Ｂと、上方連結部６１Ｃとを有する。両脚部６１Ａ、６１Ｂは、スイッチ基板５２の上面から垂直方向に起立して配置される。脚部６１Ａは、脚部６１Ｂよりも、傾斜面６０Ａの左上端部６０Ａ−１に近接して位置する。上方連結部６１Ｃは、脚部６１Ａの上端から脚部６１Ｂの上端に向けて左上方に傾斜して形成される。脚部６１Ａの上端は、上下方向である垂直方向において、傾斜面６０Ａの上端部６０Ａ−１とほぼ同じ高さであるが、脚部６１Ｂの上端は、傾斜面６０Ａの上端部６０Ａ−１より上方に位置する。本実施形態では、上方連結部６１Ｃの傾斜面の傾斜角度は、傾斜面６０Ａの傾斜角度αとほぼ同じ角度に設定される。
【００６１】
固定接点形成片６２は、金属材料などの導電性材料をＵ字状に折り曲げて形成され、一対の脚部６２Ａ、６２Ｂと、上方連結部６２Ｃとを有する。導電性材料としては、スチールをスズでメッキした材料が考えられ、スイッチ基板５２へのハンダ付けの容易性が図られる。両脚部６２Ａ、６２Ｂは、スイッチ基板５２の上面から垂直方向に起立して配置される。両脚部６２Ａ、６２Ｂは、垂直方向に同じ高さを有し、固定接点形成片６１の脚部６１Ｂより十分に高くなるように形成される。上方連結部６２Ｃは、両脚部６２Ａ、６２Ｂの両上端を連結する。
【００６２】
固定接点形成片６３は、固定接点形成片６１とほぼ同じ構成であり、金属材料などの導電性材料をＵ字状に折り曲げて形成され、一対の脚部６３Ａ、６３Ｂと、上方連結部６３Ｃとを有する。脚部６３Ａは、脚部６３Ｂよりも、傾斜面６０Ｂの右上端部６０Ｂ−１に近接して位置する。上方連結部６３Ｃは、脚部６３Ａの上端から脚部６３Ｂの上端に向けて左上方に傾斜して形成される。脚部６３Ａの上端は、上下方向である垂直方向において、傾斜面６０Ｂの上端部６０Ｂ−１とほぼ同じ高さであるが、脚部６３Ｂの上端は、傾斜面６０Ｂの上端部６０Ｂ−１より上方に位置する。本実施形態では、上方連結部６３Ｃの傾斜面の傾斜角度は、傾斜面６０Ｂの傾斜角度βとほぼ同じ角度に設定される。固定接点形成片６４は、固定接点形成片６２と同じ構成であり、金属材料などの導電性材料をＵ字状に折り曲げて形成され、一対の脚部６４Ａ、６４Ｂと、上方連結部６４Ｃとを有する。両脚部６４Ａ、６４Ｂは、垂直方向に同じ高さを有し、固定接点形成片６３の脚部６３Ｂより十分に高くなるように形成される。上方連結部６４Ｃは、両脚部６４Ａ、６４Ｂの両上端を連結する。
【００６３】
球体７０が、載置台５８の上面に載せられる。球体７０は、金属材料などの導電性材料から構成され、載置台５８の載置面５９と両傾斜面６０Ａ、６０Ｂとを転動することができる。球体７０の導電性材料としては、スチールまたはステンレスが考えられる。球体７０の転動可能な空間は、前カバー５０およびケース本体５１により形成される内部空間であって、図６に示すように、載置台５８の載置面５９および両傾斜面６０Ａ、６０Ｂと、固定接点形成片６１、６３の上方連結部６１Ｃ、６３Ｃの傾斜面と、固定接点形成片６２、６４の脚部６２Ａ、６４Ａの側面とにより形成される空間である。
【００６４】
球体７０の下方部分が載置台５８の載置面５９に形成された凹所５９Ａに嵌り、球体７０は、通常の状態において載置面５９上で静止する。地震などの振動が発生している状態において、球体７０は、載置台５８の載置面５９および傾斜面６０Ａ、６０Ｂを転動する。球体７０が、固定接点形成片６１、６２の配置位置まで転動したとき、上方連結部６１Ｃの傾斜面と、脚部６２Ａの側面とに接触し、固定接点形成片６１、６２を短絡する。球体７０が、固定接点形成片６３、６４の配置位置まで転動したとき、上方連結部６３Ｃの傾斜面と、脚部６４Ａの側面とに接触し、固定接点形成片６３、６４を短絡する。
【００６５】
［スライド扉用照明装置１の電気的構成］
図７および図８を参照して、スライド扉用照明装置１の電気的構成について説明する。図７は、地震検知装置２２の電気的構成の一部分を示す回路図であり、図８は、地震検知装置２２の電気的構成の他の部分を示す回路図である。地震検知装置２２の電気的構成は、図７に示す制御基板３５と、図８に示すＬＥＤ基板３２およびスイッチ基板５２とから構成される。
【００６６】
制御基板３５は、３つのコネクタ８０、８１、８２を有する。コネクタ８０は、スライド扉用発電装置２０の整流基板の出力端子に接続されたコネクタと接続ラインを介して連結される。コネクタ８１は、スイッチ基板５２に搭載されたコネクタ６５に接続ラインを介して連結される。コネクタ８２は、ＬＥＤ基板３２に搭載されたコネクタ８３に接続ラインを介して連結される。
【００６７】
蓄電用コンデンサＣＮＤが、コネクタ８０の端子ＣＴ１１、ＣＴ１２の間に接続される。端子ＣＴ１１は電源端子ＶＣＣに接続され、端子ＣＴ１２は接地される。コンデンサＣＮＤは、コネクタ８０から供給される直流電圧を蓄電する。電源端子ＶＣＣがコネクタ８１の端子ＣＴ２１に接続され、抵抗ＲＣ１の一端がコネクタ８１の端子ＣＴ２２に接続される。ＰＮＰ型のトランジスタＢＴＲのエミッタが電源端子ＶＣＣに接続され、そのコレクタが抵抗ＲＣ１の他端に接続され、そのベースがコネクタ８２の端子ＣＴ３２に接続される。電源端子ＶＣＣがコネクタ８２の端子ＣＴ３１に接続される。
【００６８】
電界効果トランジスタＥＴＲ１のドレインが、コネクタ８２の端子ＣＴ３２に接続され、そのゲートが抵抗ＲＣ１の他端に接続され、そのソースが接地される。ノイズ除去用のコンデンサＣ１が、トランジスタＥＴＲ１のゲートとソースとの間に接続される。電界効果トランジスタＥＴＲ２のドレインが、抵抗ＲＣ１の他端に接続され、そのソースが接地される。リセットスイッチＲＴＳＷの一端が、電源端子ＶＣＣに接続され、そのスイッチＲＴＳＷの他端がトランジスタＥＴＲ２のゲートに接続される。ノイズ除去用のコンデンサＣ２が、トランジスタＥＴＲ２のゲートとソースとの間に接続される。リセットスイッチＲＴＳＷは、ユーザが押圧操作している間、閉成してトランジスタＥＴＲ２のゲートに電源端子ＶＣＣからの電源電圧を供給する。リセットスイッチＲＴＳＷは、ユーザが押圧操作を解除したときに、開放されてトランジスタＥＴＲ２のゲートへの電源電圧の供給を停止する。
【００６９】
リセットＩＣ９０は、入力端子ＲＴ１と、接地端子ＲＴ２と、出力端子ＲＴ３とを有する。リセットＩＣ９０は、入力端子ＲＴ１に入力された電圧が所定値以上である場合に、リセット信号を出力端子ＲＴ３から出力し、入力端子ＲＴ１に入力された電圧が所定値に達しない場合に、リセット信号を出力端子ＲＴ３から出力しないもので、公知の回路素子である。入力端子ＲＴ１は電源端子ＶＣＣに接続され、接地端子ＲＴ２は接地される。
【００７０】
抵抗ＲＣ２の一端が電源端子ＶＣＣに接続され、抵抗ＲＣ２の他端が電界効果トランジスタＥＴＲ３のドレインに接続される。トランジスタＥＴＲ３のゲートがリセットＩＣ９０の出力端子ＲＴ３に接続され、そのソースが接地される。電界効果トランジスタＥＴＲ４のドレインが、抵抗ＲＣ１の他端に接続され、そのゲートが抵抗ＲＣ２の他端に接続され、そのソースが接地される。ノイズ除去用のコンデンサＣ３が、トランジスタＥＴＲ４のゲートとソースとの間に接続される。
【００７１】
リセット信号が出力端子ＲＴ３からトランジスタＥＴＲ３のゲートに供給されないときに、トランジスタＥＴＲ３はオフ状態になり、ドレインからソースへの電流が遮断される。リセット信号が出力端子ＲＴ３からトランジスタＥＴＲ３のゲートに供給されるときに、トランジスタＥＴＲ３はオン状態になり、ドレインからソースへ電流が流れる。
【００７２】
図８に示すスイッチ基板５２において、固定接点形成片６１および固定接点形成片６３が、コネクタ６５の端子ＳＴ１に共通に接続される。固定接点形成片６２および固定接点形成片６４が、コネクタ６５の端子ＳＴ２に共通に接続される。コネクタ６５の端子ＳＴ１、ＳＴ２は、コネクタ８１の端子ＣＴ２１、ＣＴ２２にそれぞれ接続される。
【００７３】
図８に示すＬＥＤ基板３２において、発光ダイオードＤ１は電流制限用抵抗Ｒ１と直列に接続されて直列回路を構成する。同様に、発光ダイオードＤ２〜Ｄ６も電流制限用抵抗Ｒ２〜Ｒ６とそれぞれ直列に接続されて直列回路を構成する。各直列回路は、コネクタ８３の端子ＬＴ１、ＬＴ２の間に接続される。コネクタ８３の端子ＬＴ１、ＬＴ２は、コネクタ８２の端子ＣＴ３１、ＣＴ３２にそれぞれ接続される。
【００７４】
図３において、蓄電用コンデンサＣＮＤ、およびコネクタ８１、８２が、制御基板３５の右側に配置され、コネクタ８０、およびリセットスイッチＲＴＳＷが、制御基板３５の左側に配置される。コネクタ８０、およびリセットスイッチＲＴＳＷの操作部分は、図４に示すように、コネクタ用開口４１、およびスイッチ用開口４０を通して、本体カバー３１から外部にそれぞれ露出する。
【００７５】
［第１の実施形態の動作および作用］
図９および図１０を参照して、スライド扉用照明装置１の動作および作用について説明する。図９は、地震が発生していない正常状態において、球体７０の一部分が載置台５８の凹所５９Ａに嵌り、球体７０が載置面５９の上で静止している状態を示す。図１０は、地震が発生している緊急状態において、球体７０が傾斜面６０Ａを転動して上方連結部６１Ｃおよび脚部６２Ａに接触した状態を示す。地震が発生していない正常状態において、スライド扉開閉装置２は商用電源から電力供給を受けて動作する。人間の接近が感知されたとき、スライド扉開閉装置２は電動モータを駆動して両スライド扉３Ａ、３Ｂを開閉させる。スライド扉３Ａの開閉動作により、スライド扉用発電装置２０の発電機は交流電圧を発電する。この交流電圧は、スライド扉用発電装置２０内の整流基板によって直流電圧に整流され、コネクタ８０の端子ＣＴ１１、ＣＴ１２の間に供給される。供給された直流電圧は、コンデンサＣＮＤにより蓄電される。
【００７６】
（地震が発生していない正常状態）
正常状態において、球体７０は載置面５９の上で静止しているので、両固定接点形成片６１、６２は短絡されることなく、電気的に遮断されるとともに、両固定接点形成片６３、６４も短絡されることなく、電気的に遮断される。この結果、正常な状態において、図８に示す両固定接点形成片６１、６２の間、および両固定接点形成片６３、６４の間は、共に開放された状態にある。この開放状態においては、電源端子ＶＣＣからの電源電圧は、トランジスタＥＴＲ１のゲートに供給されないことから、トランジツタＥＴＲ１はオフ状態を維持する。このトランジスタＥＴＲ１のオフ状態により、電源端子ＶＣＣからの電源電圧は発光ダイオートＤ１〜Ｄ６に供給されない。正常状態において、電源端子ＶＣＣからの電源電圧は発光ダイオートＤ１〜Ｄ６により消費されることがないので、スライド扉３Ａの開閉動作により発電機が発電した電力は、蓄電用コンデンサＣＮＤに充電され続ける。
【００７７】
蓄電用コンデンサＣＮＤから電源端子ＶＣＣを通して電源電圧がリセットＩＣ９０に供給され、その供給された電源電圧が所定値以上である場合、リセットＩＣ９０はリセット信号を出力端子ＲＴ３から出力する。そのリセット信号はトランジスタＥＴＲ３のゲートに供給され、トランジスタＥＴＲ３はオン状態を維持する。トランジスタＥＴＲ３がオン状態にある間、電源端子ＶＣＣから抵抗ＲＣ２を介して供給される電源電圧は、トランジスタＥＴＲ３のドレインとソースとの間に供給され、トランジスタＥＴＲ４のゲートの電位が低い電位に維持される。このため、トランジスタＥＴＲ４はオフ状態に維持される。
【００７８】
正常状態において、ユーザはリセットスイッチＲＴＳＷを押圧操作することがないので、リセットスイッチＲＴＳＷは開放状態を維持する。このため、電源端子ＶＣＣからトランジスタＥＴＲ２のゲートへの電源電圧の供給は、リセットスイッチＲＴＳＷにより停止される。この結果、トランジスタＥＴＲ２もオフ状態を維持する。
【００７９】
（地震が発生している緊急状態）
地震が発生すると、球体７０は載置台５８の載置面５９から傾斜面６０Ａ、６０Ｂのいずれかの傾斜面に沿って転動を開始し、載置面５９および両傾斜面６０Ａ、６０Ｂの上で転動しながら左右方向に往復運動する。地震の振動が所定の振動以上の強い振動に達したときに、球体７０は、固定接点形成片６２、６４のいずれかの固定接点形成片に当接する。たとえば、球体７０が傾斜面６０Ａの左上端部６０Ａ−１を越えて転動し、固定接点形成片６２の脚部６２Ａに当接した場合、球体７０は、図１０に示すように、固定接点形成片６１の上部連結部６１Ｃの傾斜面と、固定接点形成片６２の脚部６２Ａの側面とに接触し、両固定接点形成片６１、６２を短絡する。この結果、図８に示す両固定接点形成片６１、６２の間が閉成される。一方、図８に示す両固定接点形成片６３、６４の間は開放されたままである。
【００８０】
両固定接点形成片６１、６２の間が閉成されると、電源端子ＶＣＣから両固定接点形成片６１、６２を通して電源電圧が抵抗ＲＣ１に供給され、電源電圧が抵抗ＲＣ１を通してトランジスタＥＴＲ１のゲートに供給される。この結果、トランジスタＥＴＲ１がオン状態に変化し、電源端子ＶＣＣからの電源電圧が発光ダイオートＤ１〜Ｄ６に供給される。発光ダイオードＤ１〜Ｄ６が点灯し、スライド扉３Ａ、３Ｂの周辺を照明する。強い地震が発生した場合、商用電源からの電力供給が停止されることがあることから、発光ダイオードＤ１〜Ｄ６の点灯により、商店の内部に残っている客などをスライド扉３Ａ、３Ｂの場所に誘導することができ、客などはスライド扉３Ａ、３Ｂを手動で開放して外に出ることができる。
【００８１】
また、両固定接点形成片６１、６２の間が閉成され、トランジスタＥＴＲ１が一旦オンすると、電源端子ＶＣＣからの電源電流が、トランジスタＢＴＲのエミッタからベースに流れ、トランジスタＥＴＲ１のドレインおよびソースを通って接地側に流れる。この結果、トランジスタＢＴＲはオン状態に変化し、電源端子ＶＣＣからの電源電圧をトランジスタＥＴＲ１のゲートに供給し続ける。
【００８２】
球体７０が、図１０に示すように固定接点形成片６２に当接して両固定接点形成片６１、６２を短絡した後に、自重により右方向に向かって傾斜面６０Ａを転がり落ちると、両固定接点形成片６１、６２の間が開放される。このため、両固定接点形成片６１、６２の間、および両固定接点形成片６３、６４の間が、共に開放された状態となり、電源端子ＶＣＣからの電源電圧が抵抗ＲＣ１を通してトランジスタＥＴＲ１のゲートに供給されなくなる。しかし、トランジスタＢＴＲがオン状態となっていることから、トランジスタＢＴＲがトランジスタＥＴＲ１のゲートに電源電圧を供給し続ける。この結果、両固定接点形成片６１、６２の間が開放された後でも、トランジスタＥＴＲ１は電源電圧を発光ダイオードＤ１〜Ｄ６に供給し続け、発光ダイオードＤ１〜Ｄ６は点灯し続ける。
【００８３】
球体７０が、傾斜面６０Ｂの右上端部６０Ｂ−１を越えて転動し、固定接点形成片６４の脚部６４Ａに当接した場合、球体７０は、固定接点形成片６３の上部連結部６３Ｃの傾斜面と、固定接点形成片６４の脚部６４Ａの側面とに接触し、両固定接点形成片６３、６４を短絡する。この結果、図８に示す両固定接点形成片６３、６４の間が閉成される。一方、図８に示す両固定接点形成片６１、６２の間は開放されたままである。
【００８４】
両固定接点形成片６３、６４の間が閉成されると、電源端子ＶＣＣから両固定接点形成片６３、６４を通して電源電圧が抵抗ＲＣ１に供給され、電源電圧が抵抗ＲＣ１を通してトランジスタＥＴＲ１のゲートに供給される。しかし、トランジスタＥＴＲ１はすでにオン状態にあることから、トランジスタＥＴＲ１は電源電圧を発光ダイオードＤ１〜Ｄ６に供給し続け、発光ダイオードＤ１〜Ｄ６は点灯し続ける。
【００８５】
（地震停止後の発光ダイオードの消灯操作）
地震がおさまった場合、球体７０は、自重により傾斜面６０Ａ、６０Ｂを転がり落ちて載置台５８の凹所５９Ａに嵌り、載置面５９の上で静止する。その後に商用電源が復旧した場合には、発光ダイオードＤ１〜Ｄ６の点灯は必要なくなる。このため、ユーザは、発光ダイオードＤ１〜Ｄ６を消灯させるために、スイッチ用開口４２を通してリセットスイッチＲＴＳＷを押圧操作する。
【００８６】
リセットスイッチＲＴＳＷが押圧操作され、そのスイッチＲＴＳＷが閉成されると、電源端子ＶＣＣから電源電圧がトランジスタＥＴＲ２のゲートに供給され、トランジスタＥＴＲ２はオン状態に変化する。トランジスタＥＴＲ２のオン状態により、トランジスタＥＴＲ１のゲートの電位が低い電位に強制的に下げられる。このため、トランジスタＥＴＲ１はオフ状態に変化し、トランジスタＢＴＲのエミッタからベースへ流れる電流が遮断される。このベースへの電流の遮断により、トランジスタＢＴＲはオフ状態に変化し、電源端子ＶＣＣからトランジスタＥＴＲ１のゲートへの電源電圧の供給が停止される。この結果、トランジスタＥＴＲ１はオフ状態に変化し、電源端子ＶＣＣからの電源電圧は発光ダイオートＤ１〜Ｄ６に供給されなくなり、発光ダイオートＤ１〜Ｄ６は消灯する。
【００８７】
（蓄電用コンデンサＣＮＤの充電電圧の低下）
リセットスイッチＲＴＳＷが押圧操作されずに、発光ダイオードＤ１〜Ｄ６が点灯し続けると、蓄電用コンデンサＣＮＤの充電電圧が低下し続ける。蓄電用コンデンサＣＮＤの充電電圧が所定値に達しない場合に、リセットＩＣ９０はリセット信号を出力端子ＲＴ３から出力しなくなる。リセット信号が出力されなくなると、トランジスタＥＴＲ３のゲートの電位が低下してトランジスタＥＴＲ３はオフ状態に変化する。トランジスタＥＴＲ３のオフ状態により、電源端子ＶＣＣから電源電圧、すなわち蓄電用コンデンサＣＮＤの充電電圧がトランジスタＥＴＲ４のゲートに供給され、トランジスタＥＴＲ４がオン状態に変化する。トランジスタＥＴＲ４がオン状態に変化すると、トランジスタＥＴＲ２のオン状態への変化と同様に、トランジスタＥＴＲ１のゲートの電位が低い電位に強制的に下げられる。このため、トランジスタＥＴＲ１はオフ状態に変化し、トランジスタＢＴＲのエミッタからベースへ流れる電流が遮断される。このベースへの電流の遮断により、トランジスタＢＴＲはオフ状態に変化し、電源端子ＶＣＣからトランジスタＥＴＲ１のゲートへの電源電圧の供給が停止される。この結果、トランジスタＥＴＲ１はオフ状態に変化し、電源端子ＶＣＣからの電源電圧は発光ダイオートＤ１〜Ｄ６に供給されなくなり、発光ダイオートＤ１〜Ｄ６は消灯する。発光ダイオードの消灯により、蓄電用コンデンサＣＮＤの充電電圧の消費が停止される。
【００８８】
（短絡状態での球体７０の位置関係）
図１０は、球体７０が両固定接点形成片６１、６２を短絡した状態を示す。図１０において、位置ＣＰは、両固定接点形成片６１、６２を短絡する球体７０の中心の位置である。位置ＰＡ１は、短絡状態において固定接点形成片６１の上方連結部６１Ｃの傾斜面が球体７０と接触する接触位置である。位置ＰＡ２は、短絡状態において固定接点形成片６２の脚部６２Ａの側面が球体７０と接触する接触位置であり、位置ＰＡ１より上方に位置する。半径Ｒは、球体７０の半径である。距離ＬＡ１は、水平方向である左右方向において、傾斜面６０Ａの上端部６０Ａ−１から位置ＰＡ１までの距離である。距離ＬＡ２は、水平方向である左右方向において、傾斜面６０Ａの上端部６０Ａ−１から位置ＰＡ２までの距離である。本実施形態では、距離ＬＡ２は、距離ＬＡ１より大きく設定される。また、距離ＬＡ２は、球体７０の半径Ｒより大きく、かつ、球体７０の直径である半径Ｒの２倍の値より小さく設定される。位置ＰＡ１と位置ＰＡ２との間の距離（ＬＡ２−ＬＡ１）は、球体７０の半径Ｒより小さく設定される。短絡状態にある球体７０の中心位置ＣＰは、鉛直方向である上下方向において、位置ＰＡ２とほぼ同じ位置に位置する。
【００８９】
球体７０と両固定接点形成片６３、６４との位置関係は、球体７０と両固定接点形成片６１、６２との位置関係と同様な関係にある。位置ＰＢ１は、短絡状態において固定接点形成片６３の上方連結部６３Ｃの傾斜面が球体７０と接触する接触位置である。位置ＰＢ２は、短絡状態において固定接点形成片６４の脚部６４Ａの側面が球体７０と接触する接触位置であり、位置ＰＢ１より上方に位置する。距離ＬＢ１は、水平方向である左右方向において、傾斜面６０Ｂの上端部６０Ｂ−１から位置ＰＢ１までの距離である。距離ＬＢ２は、水平方向である左右方向において、傾斜面６０Ｂの上端部６０Ｂ−１から位置ＰＢ２までの距離である。本実施形態では、距離ＬＢ２は、距離ＬＢ１より大きく設定される。また、距離ＬＢ２は、球体７０の半径Ｒより大きく、かつ、球体７０の直径より小さく設定される。位置ＰＢ１と位置ＰＢ２との間の距離（ＬＢ２−ＬＢ１）は、球体７０の半径Ｒより小さく設定される。短絡状態にある球体７０の中心位置ＣＰは、鉛直方向である上下方向において、位置ＰＢ２とほぼ同じ位置に位置する。
【００９０】
［第１の実施形態の効果］
第１の実施形態では、固定接点形成片６２、６４がスイッチ基板５２から垂直方向に起立する構成であることから、地震が発生している間に、球体７０が各固定接点形成片に当接して、固定接点形成片６１、６２の間、または固定接点形成片６３、６４の間を確実に短絡する。この結果、地震検知装置２２は地震の発生を確実に検知することができる。また、載置台５８が傾斜面６０Ａ、６０Ｂを有し、固定接点形成片６１、６３の上部連結部６１Ｃ、６３Ｃが傾斜して形成されることから、地震がおさまった後に、球体７０は自重により傾斜面を転がり落ちて載置台５８の載置面５９に戻され、その載置面５９の上で静止する。この結果、ユーザは、次の地震に備えて球体７０を載置面５９に戻す作業を行う必要がなくなる。
【００９１】
第１の実施形態では、球体７０が両固定接点形成片６１、６２を短絡する状態において、位置ＰＡ２は短絡状態にある球体７０の中心位置ＣＰとほぼ同じ高さに位置し、脚部６２Ａは位置ＰＡ２よりも上方に起立する。この結果、球体７０が、脚部６２Ａに当接したときに脚部６２Ａを乗り越えることはなく、確実に停止するので、両固定接点形成片６１、６２を確実に短絡することができる。また、短絡状態にある球体７０の中心位置ＣＰは、左右方向において、位置ＰＡ１より載置面５９の配置位置の側に位置する。この結果、球体７０が脚部６２Ａに当接して停止した後に、球体７０を載置面５９に向かって転動させて確実に戻すことができる。
【００９２】
第１の実施形態では、リセットスイッチＲＴＳＷが本体カバー３１のスイッチ用開口４２を通して外部に露出することから、ユーザは、リセットスイッチＲＴＳＷを容易に操作することができる。この結果、地震がおさまった後に、蓄電用コンデンサＣＮＤから発光ダイオードＤ１〜Ｄ６への無駄な電力供給を簡単なスイッチ操作により防ぐことができる。
【００９３】
第１の実施形態では、リセットＩＣ９０が、蓄電用コンデンサＣＮＤの充電電圧が所定値に達しない場合にリセット信号の出力を停止し、このリセット信号の出力停止によりトランジスタＥＴＲ１が強制的にオフ状態に変化する。この結果、地震がおさまった後に、蓄電用コンデンサＣＮＤから発光ダイオードＤ１〜Ｄ６へ電力供給が継続されて蓄電用コンデンサＣＮＤが過放電することを防ぐことができる。
【００９４】
第１の実施形態では、透明板体が嵌め込まれた開口３９が本体カバー３１に配置され、地震検知装置２２の前カバー５０およびケース本体５１が透明な材料から成形される。この結果、ユーザは、スライド扉用照明装置１を分解するなどの煩雑な作業を行うことなく、開口３９を通して前カバー５０およびケース本体５１の内部における球体７０の位置を容易に確認することができる。この確認を通して、球体７０が載置面５９に戻っていない異常状態の発生を容易に見つけることができる。
【００９５】
第１の実施形態では、ケース本体５１の左上角部を本体取付板３０の位置決め突起３７Ａ、３７Ｂに当接させるとともに、ケース本体５１の下方端部を本体取付板３０の位置決め突起３７Ｃに当接させることにより、本体取付板３０に対して地震検知装置２２を左右方向および上下方向に位置決めする。この結果、スライド扉用照明装置１の本体取付板３０が、スライド扉開閉装置２の支持梁８に対して水平な状態で取り付けられれば、地震検知装置２２を水平な姿勢で取り付けることができ、地震の振動を正確に検知することができる。
【００９６】
第１の実施形態では、スライド扉３Ａ、３Ｂの開閉領域の全域を照射するためにスライド扉用照明装置１が左右方向に長い形状を有する。地震検知装置２２も、スライド扉用照明装置１に内蔵されることから、左右方向に長い形状を有する。この結果、球体７０が、前カバー５０およびケース本体５１により形成される内部空間を転がる構成は、上下方向において球体が落下などの移動を行う構成に比べ、左右方向に長い装置に内蔵するのに最適な構成である。
【００９７】
＜第２の実施形態＞
以下に、本発明の振動検知装置をスライド扉用照明装置に適用した第２の実施形態について、図面を参照して説明する。第２の実施形態は、地震検知装置２２の載置接点組体および固定接点形成片の構成について、第１の実施形態と相違するので、この相違する構成について説明する。なお、第２の実施形態において、第１の実施形態と同じ構成を有する部分には同一の番号または記号を付して説明する。
【００９８】
［地震検知装置２２の構成］
図１１は、地震検知装置２２の前カバー５０を取り外した状態で、ケース本体５１の内部構成を示す。図１１において、載置接点組体１５８が、金属材料などの導電性材料を折り曲げて形成され、左右方向においてスイッチ基板１５２の上面の中央位置に配置される。載置接点組体１５８の導電性材料としては、スチールをスズでメッキした材料が考え、スイッチ基板１５２へのハンダ付けの容易性が図られる。載置接点組体１５８は、載置面１５９と、一対の傾斜転動面１６０Ａ、１６０Ｂと、一対の脚部１６１、１６３とを備える。載置面１５９は、水平な平面から構成される。円形の凹所１５９Ａが、載置面５９の中央に形成される。傾斜転動面１６０Ａは、載置面１５９から左上方に傾斜して延びる平面から構成される。傾斜転動面１６０Ｂは、載置面１５９から右上方に傾斜して延びる平面から構成される。脚部１６１は、傾斜転動面１６０Ａの左上端部から下方に延び、スイッチ基板１５２に取り付けられる。脚部１６３は、傾斜転動面１６０Ｂの右上端部から下方に延び、スイッチ基板１５２に取り付けられる。
【００９９】
本実施形態では、図１１において、水平方向である左右方向に対する両傾斜転動面１６０Ａ、１６０Ｂの傾斜角度α、βは、同じであり、１２度にそれぞれ設定される。図１２において、位置ＰＡ１は、球体７０が載置接点組体１５８と固定接点形成片１６２との間を短絡する状態において、球体７０が載置接点組体１５８と接触する接触位置である。位置ＰＢ１は、球体７０が載置接点組体１５８と固定接点形成片１６４との間を短絡する状態において、球体７０が載置接点組体１５８と接触する接触位置である。距離ＣＡは、凹所５９Ａの中央位置から位置ＰＡ１までの距離であり、距離ＣＢは、凹所５９Ａの中央位置から位置ＰＢ１までの距離である。両距離ＣＡ、ＣＢは、同じ距離に設定される。
【０１００】
図１２において、位置ＰＡ２は、球体７０が載置接点組体１５８と固定接点形成片１６２との間を短絡する状態において、球体７０が固定接点形成片１６２の脚部１６２Ａの側面と接触する接触位置であり、位置ＰＡ１より上方に位置する。位置ＰＢ２は、球体７０が載置接点組体１５８と固定接点形成片１６４との間を短絡する状態において、球体７０が固定接点形成片１６４の脚部１６４Ａの側面と接触する接触位置であり、位置ＰＢ１より上方に位置する。距離ＬＡＣは、水平方向である左右方向において、位置ＰＡ１から位置ＰＡ２までの距離である。距離ＬＢＣは、水平方向である左右方向において、位置ＰＢ１から位置ＰＢ２までの距離である。両距離ＬＡＣ、ＬＢＣは、同じに設定される。両距離ＬＡＣ、ＬＢＣの各距離は、球体７０の半径Ｒより小さく設定される。
【０１０１】
図１２において、載置接点組体１５８と固定接点形成片１６２との間を短絡する状態にある球体７０の中心位置ＣＰは、鉛直方向である上下方向において、位置ＰＡ２とほぼ同じ位置に位置する。同様に、載置接点組体１５８と固定接点形成片１６４との間を短絡する状態にある球体７０の中心位置ＣＰは、鉛直方向である上下方向において、位置ＰＢ２とほぼ同じ位置に位置する。
【０１０２】
一対の固定接点形成片１６２、１６４が、金属材料などの導電性材料をＵ字状に折り曲げて形成される。固定接点形成片の導電性材料としては、スチールをスズでメッキした材料が考えられ、スイッチ基板１５２へのハンダ付けの容易性が図られる。固定接点形成片１６２は、脚部１６１に近接した位置でスイッチ基板１５２に取り付けられ、一対の脚部１６２Ａ、１６２Ｂと、上部連結部１６２Ｃとを有する。両脚部１６２Ａ、１６２Ｂは、スイッチ基板１５２から垂直方向に起立し、載置接点組体１５８の脚部１６１より十分に高く形成される。上部連結部１６２Ｃは、両脚部１６２Ａ、１６２Ｂの両上端を連結する。固定接点形成片１６４は、脚部１６３に近接した位置でスイッチ基板１５２に取り付けられ、一対の脚部１６４Ａ、１６４Ｂと、上部連結部１６４Ｃとを有する。両脚部１６４Ａ、１６４Ｂは、スイッチ基板１５２から垂直方向に起立し、載置接点組体１５８の脚部１６３より十分に高く形成される。上部連結部１６４Ｃは、両脚部１６４Ａ、１６４Ｂの両上端を連結する。
【０１０３】
球体７０が、載置接点組体１５８の上面に載せられ、載置面１５９と両傾斜転動面１６０Ａ、１６０Ｂとを転動することができる。球体７０の転動可能な空間は、前カバー５０およびケース本体５１により形成される内部空間であって、図１１に示すように、載置接点組体１５８の載置面１５９および両傾斜転動面１６０Ａ、１６０Ｂと、固定接点形成片１６２、１６４の脚部１６２Ａ、１６４Ａの側面とにより形成される空間である。
【０１０４】
球体７０の下方部分が載置接点組体１５８の載置面１５９に形成された凹所１５９Ａに嵌り、球体７０は、通常の状態において載置面１５９上で静止する。地震などの振動が発生している状態において、球体７０は、載置面１５９および傾斜転動面１６０Ａ、１６０Ｂを転動する。球体７０が、固定接点形成片１６２の配置位置まで転動したとき、傾斜転動面１６０Ａ上の位置ＰＡ１と、脚部１６２Ａの側面上の位置ＰＡ２とで接触し、載置接点組体１５８と固定接点形成片１６２との間を短絡する。球体７０が、固定接点形成片１６４の配置位置まで転動したとき、傾斜転動面１６０Ｂ上の位置ＰＢ１と、脚部１６４Ａの側面上の位置ＰＢ２とで接触し、載置接点組体１５８と固定接点形成片１６４との間を短絡する。
【０１０５】
［スライド扉用照明装置１の電気的構成］
第２の実施形態のスライド扉用照明装置１の電気的構成は、スイッチ基板１５８の構成以外は、図７および図８に示す第１の実施形態の電気的構成と同じである。第２の実施形態のスイッチ基板１５８において、載置接点組体１５８の脚部１６１が図８に示すコネクタ６５の端子ＳＴ１に直接に接続され、脚部１６３が、載置接点組体１５８の傾斜転動面１６０Ｂ、載置面１５９、傾斜転動面１６０Ａ、および脚部１６１を介して図８に示すコネクタ６５の端子ＳＴ１に接続される。固定接点形成片１６２および固定接点形成片１６４が、コネクタ６５の端子ＳＴ２に共通に接続される。
【０１０６】
［第２の実施形態の動作および作用］
（地震が発生していない正常状態）
正常状態において、球体７０は載置面１５９の上で静止しているので、載置接点組体１５８と固定接点形成片１６２との間は短絡されることなく、電気的に遮断されるとともに、載置接点組体１５８と固定接点形成片１６４との間も短絡されることなく、電気的に遮断される。この結果、正常な状態において、載置接点組体１５８と固定接点形成片１６２との間、および載置接点組体１５８と固定接点形成片１６４との間は、共に開放された状態にある。この開放状態においては、第１の実施形態と同様に、トランジツタＥＴＲ１はオフ状態を維持し、電源端子ＶＣＣからの電源電圧は発光ダイオートＤ１〜Ｄ６に供給されない。正常状態において、スライド扉３Ａの開閉動作により発電機が発電した電力は、蓄電用コンデンサＣＮＤに充電され続ける。
【０１０７】
蓄電用コンデンサＣＮＤから供給された電源電圧が所定値以上である場合、リセットＩＣ９０はリセット信号を出力端子ＲＴ３から出力し、トランジスタＥＴＲ３はオン状態を維持する。トランジスタＥＴＲ３がオン状態にある間、トランジスタＥＴＲ４はオフ状態を維持する。
【０１０８】
正常状態において、ユーザはリセットスイッチＲＴＳＷを押圧操作することがないので、リセットスイッチＲＴＳＷは開放状態を維持し、電源端子ＶＣＣからトランジスタＥＴＲ２のゲートへの電源電圧の供給は、リセットスイッチＲＴＳＷにより停止される。この結果、トランジスタＥＴＲ２もオフ状態を維持する。
【０１０９】
（地震が発生している緊急状態）
地震が発生すると、球体７０は載置接点組体１５８の載置面１５９から傾斜転動面１６０Ａ、１６０Ｂのいずれかの傾斜転動面に沿って転動を開始し、載置面１５９および両傾斜転動面１６０Ａ、１６０Ｂの上で転動しながら左右方向に往復運動する。地震の振動が所定の振動以上の強い振動に達したときに、球体７０は、固定接点形成片１６２、１６４のいずれかの固定接点形成片に当接する。たとえば、球体７０が傾斜転動面１６０Ａ上の位置ＰＡ１まで転動し、固定接点形成片１６２の脚部１６２Ａに当接した場合、球体７０は、図１２に示すように、傾斜転動面１６０Ａ上の位置ＰＡ１と、固定接点形成片１６２の脚部１６２Ａの側面上の位置ＰＡ２とで接触し、載置接点組体１５８と固定接点形成片１６２との間を短絡する。この結果、載置接点組体１５８と固定接点形成片１６２との間が閉成される一方、載置接点組体１５８と固定接点形成片１６４との間は開放されたままである。
【０１１０】
載置接点組体１５８と固定接点形成片１６２との間が閉成されると、トランジスタＥＴＲ１がオン状態に変化し、電源端子ＶＣＣからの電源電圧が発光ダイオートＤ１〜Ｄ６に供給される。発光ダイオードＤ１〜Ｄ６が点灯し、スライド扉３Ａ、３Ｂの周辺を照明する。また、載置接点組体１５８と固定接点形成片１６２との間が閉成され、トランジスタＥＴＲ１が一旦オンすると、トランジスタＢＴＲはオン状態に変化し、電源端子ＶＣＣからの電源電圧をトランジスタＥＴＲ１のゲートに供給し続ける。
【０１１１】
球体７０が、図１２に示すように固定接点形成片１６２に当接して載置接点組体１５８と固定接点形成片１６２との間を短絡した後に、自重により右方向に向かって傾斜転動面１６０Ａを転がり落ちると、載置接点組体１５８と固定接点形成片１６２との間が開放される。このため、載置接点組体１５８と固定接点形成片１６２との間、および載置接点組体１５８と固定接点形成片１６４との間が、共に開放された状態となり、電源端子ＶＣＣからの電源電圧が抵抗ＲＣ１を通してトランジスタＥＴＲ１のゲートに供給されなくなる。しかし、トランジスタＢＴＲがオン状態となっていることから、載置接点組体１５８と固定接点形成片１６２との間が開放された後でも、トランジスタＥＴＲ１は電源電圧を発光ダイオードＤ１〜Ｄ６に供給し続け、発光ダイオードＤ１〜Ｄ６は点灯し続ける。
【０１１２】
球体７０が、傾斜転動面１６０Ｂ上の位置ＰＢ１まで転動し、固定接点形成片１６４の脚部１６４Ａに当接した場合、球体７０は、傾斜転動面１６０Ｂ上の位置ＰＢ１と、固定接点形成片１６４の脚部１６４Ａの側面上の位置ＰＢ２とで接触し、載置接点組体１５８と固定接点形成片１６４との間を短絡する。この結果、載置接点組体１５８と固定接点形成片１６４との間が閉成される一方、載置接点組体１５８と固定接点形成片１６２との間は開放されたままである。
【０１１３】
載置接点組体１５８と固定接点形成片１６４との間が閉成されると、電源端子ＶＣＣから電源電圧が抵抗ＲＣ１に供給され、電源電圧が抵抗ＲＣ１を通してトランジスタＥＴＲ１のゲートに供給される。しかし、トランジスタＥＴＲ１はすでにオン状態にあることから、トランジスタＥＴＲ１は電源電圧を発光ダイオードＤ１〜Ｄ６に供給し続け、発光ダイオードＤ１〜Ｄ６は点灯し続ける。
【０１１４】
地震停止後の発光ダイオードの消灯操作における動作、および、蓄電用コンデンサＣＮＤの充電電圧の低下における動作については、第２の実施形態は第１の実施形態と同じ動作を実行するので、その説明を省略する。
【０１１５】
［第２の実施形態の効果］
第２の実施形態では、載置接点組体１５８が、載置面１５９と、傾斜転動面１６０Ａ、１６０Ｂと、固定接点形成片１６２、１６４とともにスイッチ手段を構成する傾斜転動面１６０Ａ、１６０Ｂ上の位置ＰＡ１、ＰＢ１での接触部分とを有し、導電性材料を折り曲げて形成される。この結果、第１の実施形態のように載置台５８と、固定接点形成片６１、６３とを別個に形成する構成に比べ、地震検知装置２２の構成を簡単にすることができる。
なお、第２の実施形態でも、第１の実施形態と同じ構成部分により、第１の実施形態と同じ効果が発揮される。
【０１１６】
＜構成の対応関係＞
スライド扉用照明装置１が、本発明の振動検知機能を有する作動装置の一例である。地震検知装置２２は、本発明の振動検知装置の一例である。前カバー５０およびケース本体５１が、本発明の筐体の一例である。載置台５８、または載置接点組体１５８の一部分が、本発明の載置部材の一例であり、載置面５９および傾斜面６０Ａ、６０Ｂは、本発明の載置面、および傾斜面の一例である。載置面１５９、および、載置面１５９の左右の端部から傾斜転動面１６０Ａ、１６０Ｂ上の位置ＰＡ１、ＰＢ１までの傾斜面が、本発明の載置面、および傾斜面の一例である。固定接点形成片６１の上部連結部６１Ｃ上の位置ＰＡ１での接触部分、または固定接点形成片６３の上部連結部６３Ｃ上の位置ＰＢ１での接触部分が、本発明の第１接点部分の一例であり、傾斜接触面の一例である。固定接点形成片６２の脚部６２Ａの側面上の位置ＰＡ２での接触部分、または固定接点形成片６４の脚部６４Ａの側面上の位置ＰＢ２での接触部分が、本発明の第２接点部分の一例であり、起立接触面の一例である。また、載置接点組体１５８の傾斜転動面１６０Ａ上の位置ＰＡ１での接触部分、または傾斜転動面１６０Ｂ上の位置ＰＢ１での接触部分が、本発明の第１接点部分の一例であり、傾斜接触面の一例である。固定接点形成片１６２の脚部１６２Ａの側面上の位置ＰＡ２での接触部分、または固定接点形成片１６４の脚部１６４Ａの側面上の位置ＰＢ２での接触部分が、本発明の第２接点部分の一例であり、起立接触面の一例である。固定接点形成片６１の上部連結部６１Ｃ上の位置ＰＡ１での接触部分と、固定接点形成片６２の脚部６２Ａの側面上の位置ＰＡ２での接触部分との組み合わせが、本発明のスイッチ手段の一例である。固定接点形成片６３の上部連結部６３Ｃ上の位置ＰＢ１での接触部分と、固定接点形成片６４の脚部６４Ａの側面上の位置ＰＢ２での接触部分との組み合わせが、本発明のスイッチ手段の一例である。また、載置接点組体１５８の傾斜転動面１６０Ａ上の位置ＰＡ１での接触部分と、固定接点形成片１６２の脚部１６２Ａの側面上の位置ＰＡ２での接触部分との組み合わせが、本発明のスイッチ手段の一例である。載置接点組体１５８の傾斜転動面１６０Ｂ上の位置ＰＢ１での接触部分と、固定接点形成片１６４の脚部１６４Ａの側面上の位置ＰＢ２での接触部分との組み合わせが、本発明のスイッチ手段の一例である。３つの位置決め突起３７Ａ〜３７Ｃが、本発明の位置決め部材の一例である。トランジスタＥＴＲ１、ＥＴＲ２およびトランジスタＢＴＲの組み合わせが、本発明の電力供給手段の一例である。トランジスタＢＴＲと、そのトランジスタＢＴＲをトランジスタＥＴＲ１に接続する回路との組み合わせが、本発明の保持回路の一例である。トランジスタＥＴＲ２と、そのトランジスタＥＴＲ２をリセットスイッチＲＴＳＷおよびトランジスタＥＴＲ１に接続する回路との組み合わせが、本発明のリセット回路の一例である。スイッチ基板５２またはスイッチ基板１５２が、本発明の回路基板の一例である。リセットスイッチＲＴＳＷが、本発明の操作スイッチの一例である。球体７０が、本発明の転動体の一例である。発光ダイオードＤ１〜Ｄ６が、本発明の電気的作動手段の一例であり、本発明の複数の発光ダイオードの一例である。蓄電用コンデンサＣＮＤが、本発明の蓄電手段の一例である。スライド扉用発電装置２０の発電機が、本発明の発電手段の一例である。
【０１１７】
＜変形例＞
本発明は、第１および第２の本実施形態に限定されることはなく、その趣旨を逸脱しない範囲において種々の変形が可能である。以下にその変形の一例を述べる。
【０１１８】
（１）両実施形態では、スライド扉用照明装置１が、電動モータにより駆動される自動のスライド扉開閉装置２に取り付けられる構成であるが、手動のスライド扉開閉装置にも、人間の体重により開閉する半自動のスライド扉開閉装置にも取り付けることができる。半自動のスライド扉開閉装置は、特許第４２５３０３４号公報などにより公知である。
【０１１９】
（２）両実施形態は、スライド扉３Ａ、３Ｂの周辺領域を照射するスライド扉用照明装置１であるが、本発明は、映画館または劇場などの暗い場所において、地震などの振動が発生した異常状態を報知する警報音を発生する発音装置、または警報メッセージを表示する表示装置にも適用することができる。
【０１２０】
（３）両実施形態では、本発明の振動検知装置が地震検知装置２２に具体化されたが、地震検知装置に限定されない。たとえば、車両などの移動体が衝突したときの振動の強さを検知する振動検知装置に本発明を具体化することもできる。この変形例においては、所定値以上の強い振動を検知したときに、移動体の安全装置が作動する構成が考えられる。
【０１２１】
（４）両実施形態では、スライド扉用発電装置２０の発電機がスライド扉３Ａの開閉動作により発電し、蓄電用コンデンサＣＮＤに蓄電する構成であるが、この構成に限定されない。たとえば、コンデンサＣＮＤなどの蓄電手段は、スライド扉の設置場所以外の場所に設置され、太陽光または風力などの自然エネルギー、或いは室内光を利用した発電装置により発電された電力を蓄電する構成でも、地震が発生していない正常な状態において商用電源から供給された電力を蓄電する構成でもよい。
【０１２２】
（５）両実施形態では、トランジスタＢＴＲと、そのトランジスタＢＴＲをトランジスタＥＴＲ１に接続する回路との組み合わせから、保持回路が構成されるが、トランジスタＥＴＲ１、ＥＴＲ２およびトランジスタＢＴＲの組み合わせから構成される電力供給手段の電力供給状態を保持する手段であれば、この構成に限定されない。たとえば、フリップフロップなどのラッチ機能を備えるデジタル回路素子から構成される保持回路でも、固定接点形成片などの短絡に応答して機械的に状態を保持する機能を有する保持機構でもよい。
【０１２３】
（６）両実施形態では、トランジスタＥＴＲ２と、そのトランジスタＥＴＲ２をリセットスイッチＲＴＳＷおよびトランジスタＥＴＲ１に接続する回路との組み合わせから、リセット回路が構成されるが、トランジスタＥＴＲ１、ＥＴＲ２およびトランジスタＢＴＲの組み合わせから構成される電力供給手段の電力供給状態を解除する手段であれば、この構成に限定されない。たとえば、デジタル回路素子から構成される保持回路のセット状態をリセットする回路でも、保持機構により機械的に保持された状態をリセットスイッチＲＴＳＷの押圧操作に応答して解除する機構でもよい。
【０１２４】
（７）第１の実施形態では、左右方向において傾斜面６０Ａ、６０Ｂを同じ長さに設定するために、凹所５９Ａの中央から上端部６０Ａ−１、６０Ｂ−１までの距離ＳＡ、ＳＢが同じ長さに設定される。これに代えて、載置面５９の左端部から上端部６０Ａ−１までの距離と、載置面５９の右端部から上端部６０Ｂ−１までの距離とを同じ長さに設定してもよい。第２の実施形態でも、凹所１５９Ａの中央から位置ＰＡ１、ＰＢ１までの距離ＣＡ、ＣＢを同じ長さに設定するのに代えて、載置面１５９の左端部から位置ＰＡ１までの距離と、載置面１５９の右端部から位置ＰＢ１までの距離とを同じ長さに設定してもよい。
【０１２５】
（８）両実施形態では、固定接点形成片６２、６４、１６２、１６４が鉛直方向に起立することから、短絡状態にある球体７０の中心位置ＣＰが位置ＰＡ２、ＰＢ２とほぼ同じ高さに位置する。これに代えて、短絡状態にある球体７０が固定接点形成片６２、６４または固定接点形成片１６２、１６４と接触する位置ＰＡ２、ＰＢ２が、球体７０の中心位置ＣＰより上方に位置するように、固定接点形成片６２、６４または固定接点形成片１６２、１６４が載置面５９の配置位置の側に傾斜して起立するように形成してもよい。
【０１２６】
（９）両実施形態では、球体７０が固定接点形成片６２、６４、１６２、１６４に当接したときに、球体７０を載置面５９、１５９に向かって転動させるために、上部連結部６１Ｃ、６３Ｃは傾斜した面を有し、または、傾斜転動面１６０Ａ、１６０Ｂが設けられる。これに代えて、位置ＰＡ１、ＰＢ１が、短絡状態にある球体７０の中心位置よりも位置ＰＡ２、ＰＢ２の近くに位置するのであれば、上部連結部６１Ｃ、６３Ｃが水平な面から形成される構成でもよく、また、図１２に示す傾斜転動面において位置ＰＡ１より僅かに右側の位置から左側の面、および位置ＰＢ２より僅かに左側の位置から右側の面が水平な面から形成される構成でもよい。
【符号の説明】
【０１２７】
１    スライド扉用照明装置
２０    スライド扉用発電装置
２２    地震検知装置
５０    前カバー
５１    ケース本体
５２、１５２    スイッチ基板
５８    載置台
５９、１５９    載置面
６０Ａ、６０Ｂ    傾斜面
６１〜６４、１６２、１６４    固定接点形成片
７０    球体
１５８    載置接点組体
１６０Ａ、１６０Ｂ    傾斜転動面
ＢＴＲ    ＰＮＰ型のトランジスタ
ＣＮＤ    蓄電用コンデンサ
Ｄ１〜Ｄ６    発光ダイオード
ＥＴＲ１〜ＥＴＲ４    電界効果トランジスタ
ＲＴＳＷ    リセットスイッチ
【図１】
2014235018.tif 000003
【図２】
2014235018.tif 000004
【図３】
2014235018.tif 000005
【図４】
2014235018.tif 000006
【図５】
2014235018.tif 000007
【図６】
2014235018.tif 000008
【図７】
2014235018.tif 000009
【図８】
2014235018.tif 000010
【図９】
2014235018.tif 000011
【図１０】
2014235018.tif 000012
【図１１】
2014235018.tif 000013
【図１２】
2014235018.tif 000014